(57)【特許請求の範囲】
【請求項１】
織機を用いて筬の打ち込みによって、リボン形状の横糸がどれだけ圧縮されるかを測定することにより、この横糸の裂き織り時の圧縮率を求め、
裂き織物の幅と同一の幅を有する矩形状の裂き布に元絵柄を染め付けし、
その後、前記裂き布を、該裂き布の長さ方向に沿ってつづら折り状に裂いて細長いリボン形状の１本の横糸とし、
次に、織機を用いて前記横糸と縦糸とを交錯させ、かつ筬により前記１本の横糸を順次打ち込んで圧縮しながら、前記元絵柄に起因した絵柄を有した裂き織物を織り上げていく裂き織り方法にあって、
前記元絵柄は、前記横糸の圧縮率の逆数倍だけ前記裂き織物の絵柄を前記裂き布の長さ方向へのみ拡大したもので、この拡大した元絵柄を前記裂き布に染め付ける裂き織り方法。
【発明の詳細な説明】
【技術分野】
【０００１】
この発明は裂き織り方法、詳しくは縦糸と、所定の布を細長いリボン（テープ）形状に裂いた横糸とを交錯させて裂き織物を製造する裂き織り方法に関する。
【背景技術】
【０００２】
織物の製造方法の一種として、織機に所定ピッチで張られた紡績糸からなる縦糸と、古着などの裂き布を裂いて細長いリボン形状とした横糸とを、一定の法則で交錯させて平布の裂き織物を織り上げる裂き織り方法が知られている。この方法では、裂き布の絵柄を無視して織り上げるため、得られた裂き織物は新しいデザインの裂織布となっていた。
【０００３】
そこで、近年、例えば思い出の古着（所望の服）を、そのままの外観形状を残して織り上げる「裂織の方法」が開発されている（例えば特許文献１）。特許文献１の裂織の方法は、所望の服を細長く裂いた元服リボンと、これとは異なる布を細長く裂いた周辺リボンとを準備し、その後、周辺リボンを横糸、紡績糸を縦糸として織機により裂き織りして行く。その途中、古着の外観形状と柄とを発現できる位置に、元服リボンを横糸の一部分として適宜織り込むことにより、裂き織物に所望の服が絵柄として現われる。
【先行技術文献】
【特許文献】
【０００４】
【特許文献１】特開２００４−２３２１６１号公報
【発明の概要】
【発明が解決しようとする課題】
【０００５】
しかしながら、特許文献１に記載された裂織の方法では、裂き織り時に、織機の筬による元服リボンの縦糸長さ方向への打ち込みにより発生する圧縮を無視したものであった。一般的な綿布（サラシ）の場合、筬により横糸は約４分の１に圧縮される（例えば１ｃｍ幅のものが２．５ｍｍ幅に圧縮）。そのため、裂き織物に織り込まれた古着のサイズは、織物の幅方向の長さは原寸通りであるものの、裂き織物の長さ方向には４分の１に圧縮された絵柄となり、原形を留めないものとなっていた。
【０００６】
そこで、発明者は鋭意研究の結果、横糸が筬の打ち込みで圧縮される分（割合）だけ、あらかじめ裂き布の絵柄を布長さ方向へ拡張しておけば、筬によってリボン形状の横糸が圧縮されても、完成後の裂き織物の絵柄はあらかじめ設定されたものになることを知見し、この発明を完成させた。
【０００７】
この発明は、目標通りの絵柄を簡単に裂き織物に現出させることができる裂き織り方法を提供することを目的としている。
【課題を解決するための手段】
【０００８】
請求項１に記載の発明は、織機を用いて筬の打ち込みによって、リボン形状の横糸がどれだけ圧縮されるかを測定することにより、この横糸の裂き織り時の圧縮率を求め、裂き織物の幅と同一の幅を有する矩形状の裂き布に元絵柄を染め付けし、その後、前記裂き布を、該裂き布の長さ方向に沿ってつづら折り状に裂いて細長いリボン形状の１本の横糸とし、次に、織機を用いて前記横糸と縦糸とを交錯させ、かつ筬により前記１本の横糸を順次打ち込んで圧縮しながら、前記元絵柄に起因した絵柄を有した裂き織物を織り上げていく裂き織り方法にあって、前記元絵柄は、前記横糸の圧縮率の逆数倍だけ前記裂き織物の絵柄を前記裂き布の長さ方向へのみ拡大したもので、この拡大した元絵柄を前記裂き布に染め付ける裂き織り方法である。
【０００９】
ここでいう「裂き布」とは、藍染、柿渋染め、泥染め、紅茶染めなどの各種の染め方により染色された細長いリボン形状（テープ形状）に裂かれる染め布である。布生地は限定されない。ただし、綿、麻などの天然繊維からなる生地が、風合いなどの面で好ましい。
裂き布の形状は、例えばタオルのような短尺の矩形状でも、反物のような長尺な矩形状でもよい。
【００１０】
「元絵柄」とは、裂き織物に付けられる絵柄の元となるもので、人物、動物、花、建物、風景等の他、幾何学模様、抽象模様など任意である。
裂き布の幅（横幅）は裂き織物の幅（横幅）と同一である。裂き布の幅が裂き織物の幅と大きく異なれば、裂き織物の絵柄は斜めに変形したり、絵柄を構成しなくなる。
【００１１】
ここでいう「つづら折り状に裂く」とは、裂き布の長さ方向の一辺を目標として、それに向かっていくつも折れ曲がりながら（ジグザグに）続いて行くように、裂く方向（目標方向に直交する方向）を１本置きに逆にして裂き布を細かく裂いていくこと（平裂き）をいう。裂き方としては、手で裂いても、ハサミやカッターなどの工具を利用して裂いてもよい。または、裁断機などにより機械的に裂いてもよい。
織機は、手織機でも機械式の織機でもよい。
【００１２】
筬の打ち込みによる横糸の圧縮率は任意である。例えば、一般的な綿製のサラシを裂き布とした場合の裂き織り時の圧縮率は２５％、サラシより薄地のものを裂き布とした場合であれば、その裂き織り時の圧縮率は２０％程度となる。
横糸（リボン）の幅は任意であるが５〜１０ｍｍが好ましい。５ｍｍ未満では裂き布の厚さや生地によって、使用途中で横糸が切れるおそれがあり、１０ｍｍを超えれば元絵柄の絵柄によっては裂き織物の絵柄の滑らかな連続性がなくなってしまう。横糸の幅は全長にわたって一定の方が好ましい。
【００１３】
裂き布の元絵柄の形状は、裂き織物に現出される絵柄（目標絵柄）を基準として、筬の打ち込みによる横糸（目標絵柄）の幅方向への縮みを考慮して決定される。すなわち、元絵柄の幅（裂き布の裂き方向の長さ）と目標絵柄の幅とは同一であるが、元絵柄の長さ（裂き布の裂き方向と直交する方向の長さ）は、目標絵柄の長さを基準として、横糸の圧縮率に逆数を乗算したものとなる。例えば、裂き織物の絵柄が「藍」という字で、横糸の圧縮率が２０％の場合、裂き布の元絵柄の形状は、「藍」の字を上下方向に５倍だけ間延びさせたものとなる。
【発明の効果】
【００１４】
請求項１に記載の発明によれば、あらかじめリボン形状の横糸の裂き織り時の圧縮率を求め、その後の染め付け工程では、横糸の圧縮率の逆数倍だけ裂き織物の絵柄を裂き布の長さ方向へのみ拡大（変形）した元絵柄を裂き布に染め付ける。このように構成したため、裂き織り時に、筬による打ち込みによって横糸が所定の圧縮率で順次圧縮されることで、特別な織り方をすることなく、目標通りの絵柄を裂き織物に簡単に現出させることができる。
【図面の簡単な説明】
【００１５】
【図１】この発明の実施例１に係る裂き織り方法の染め付けの糊塗り工程を示す平面図である。
【図２】この発明の実施例１に係る裂き織り方法の裂き布の裂き工程を示す平面図である。
【図３】この発明の実施例１に係る裂き織り方法の裂き布の裂き織り工程を示す斜視図である。
【図４】この発明の実施例１に係る裂き織り方法により織り上げられた裂き織物の平面図である。
【発明を実施するための形態】
【００１６】
以下、この発明の実施例を具体的に説明する。
【実施例】
【００１７】
図１〜図４を参照して、この発明の実施例１に係る裂き織り方法を説明する。この裂き織り方法（裂き織物の製作方法）は、順次施される横糸圧縮率測定工程と、型紙製作工程と、染め付け工程と、布裂き工程と、裂き織り工程とを備えている。
【００１８】
以下、これらの工程を詳細に説明する。
横糸圧縮率測定工程では、裂き織り工程で作業者が通常の力で筬を操作したとき、筬の打ち込みによって、リボン形状の横糸がどれだけ圧縮されるかが測定される。
まず、図１および図２に示すように、裂き織りされる矩形状（長方形）の裂き布１２と同一のダミー裂き布１２Ａを準備し、これを後述する横糸１１と同一条件で裂くことで、横糸１１と同一幅（１０ｍｍ）のリボン形状のダミー横糸１１Ａを得る。得られたダミー横糸１１Ａを裂き織り工程で使用する手織機１０によって、後述する一般的な裂き織りを行う（図３）。その後、筬１３の打ち込みにより圧縮されたダミー横糸１１Ａの幅（２．５ｍｍ）を測定し、裂き織りの前と後とにおけるダミー横糸１１Ａの幅の違いから、裂き織り時の横糸１１の圧縮率を求める（ここでは圧縮率２５％）。
【００１９】
型紙製作工程では、まず裂き織物１４に現出する絵柄（ここでは真円柄（○）１５ａと正三角形柄（△）１５ｂ）を決定する（図４）。次に、矩形状の木枠１６ａに展張された型紙１６に、裂き織物１４に現出される絵柄（以下、目標絵柄）１５を基準として、筬１３の打ち込みによる横糸１１の幅方向（縦糸２０の長さ方向または裂き織物１４の長さ方向）への絵柄１５の縮み（圧縮率）を考慮した元絵柄１５Ａを切り欠く。筬１３の打ち込みで横糸１１は幅方向に圧縮されるため、元絵柄１５Ａの幅（横糸１１の長さ方向の長さ）と目標絵柄１５の幅とは同一となる。一方、元絵柄１５Ａの長さ（縦糸２０の長さ方向の長さ）は、目標絵柄１５の長さを基準として、これに、横糸１１の圧縮率に逆数を乗算した長さまで長くする。具体的には、筬１３による横糸１１の幅方向の圧縮率が２５％であるため、型紙１６に切欠される元絵柄１５Ａの形成用の窓部１７は、真円柄１５ａをその長さ方向に４倍長くした楕円柄１５ｃを裂き布１２に現出させる楕円窓１７ａと、正三角形柄１５ｂをその長さ方向に４倍長くした二等辺三角柄１５ｄを裂き布１２に現出させる二等辺三角形窓１７ｂとする。
【００２０】
染め付け工程では、一般的な型染めの藍染手法により、元絵柄１５Ａ付きの裂き布１２を染め付ける。具体的には、まず裂き織物１４の幅と同一幅のサラシからなる矩形状の裂き布１２を準備する。次に、裂き布１２の表面に元絵柄１５Ａの形成用の窓部１７を有した型紙１６を載置し、楕円窓１７ａと二等辺三角形窓１７ｂとを通して、糊（防染糊）１８を裂き布１２の表面に、例えばスクリーン印刷法により塗布する。その後、糊１８の塗布面に粘着防止剤（上新粉などの餅取り粉）を散布して糊１８のベタ付きを抑え、裂き布１２を裏返す。同様にして裂き布１２の裏面に糊１８を例えばスクリーン印刷し、貼着防止剤を散布する。次いで、糊１８を塗布した裂き布１２を所定濃度の藍液に浸し（例えば３分間程度）、その後、これを引き上げて空気に晒すことで染め付ける。このような一連の染色作業を、途中に中干しの乾燥工程をはさんで、所望の色合いや濃淡が現出するまで所定回数（例えば３０回ほど、さらに濃くしたい場合はそれ以上）繰り返す。
【００２１】
その後、糊１８が付いた裂き布１２を、裂き布１２の長さ方向に向かってつづら折り状に裂くことで、幅が１０ｍｍの細長いリボン形状の横糸１１を得る。具体的には、カッターを使用し、裂き布１２の左辺部分および右辺部分でいくつも折れ曲がりながら、裂き布１２の長さ方向の一辺（目標辺）に向かって続いて行くように、裂く方向（目標方向に直交する方向）を切り込み１本置きに反対に向けて裂き布１２を裂いていく。得られたリボン形状の横糸１１は、手織機１０のシャトル１９に巻き取られる。
【００２２】
裂き織り工程では、図３に示すように手織機１０を準備し、それに所定ピッチで平行に張られた紡績糸からなる縦糸２０と、リボン形状の横糸１１とを、一定の法則で交錯させて平布の裂き織物１４を織り上げる（図４）。具体的には、まず前準備として、経巻軸２１に縦糸２０を巻回し、その経巻軸２１を手織機１０の本体の一端部に装着する。次に、縦糸２０を経巻軸２１から引き出し、引き出された経糸２０の先端部を、手織機１０の本体の長さ方向の中間部に配置された一対の綜こう２２の孔と筬１３の孔とに順次通し、その後、手織機１０の本体の他端部に横架された布巻軸２３に経糸２０の先端部を縛り付ける。次に、手織機１０を操作しながら、縦糸２０を上下方向に開いてひ道を形成し、その後、ひ道にシャトル１９を滑らせることでリボン形状の横糸１１を経糸２０の間に配置し、この状態で筬１３を手元に引くことで横糸１１を打ち込む。このような機織り作業を繰り返しながら織り進めていくことにより、裂き織物１４を織り上げる。
【００２３】
以上説明したように、まず横糸圧縮率測定工程で、裂き織りに際してリボン形状の横糸１１の圧縮率を求め、その後、染め付け工程で、横糸１１の圧縮率の逆数倍だけ裂き織物１４の絵柄１５を裂き布１２の長さ方向へのみ拡大（変形）した元絵柄１５Ａを裂き布１２に染め付ける。このように構成したため、裂き織り工程で、筬１３による打ち込みによって横糸１１が所定の圧縮率で順次圧縮されることで、目標通りの絵柄１５を簡単に裂き織物１４に現出させることができる。
【００２４】
なお、ここでは、一般的な２枚綜こう方式の手織機１０を採用したが、例えば「花風雅」（横田株式会社製）のような、筬を兼ねた１枚綜こう方式の手織機を採用してもよい。「花風雅」は、平面視して矩形枠形状の本体と、本体の長さ方向の一端部に横架された経巻軸と、本体の長さ方向の他端部に横架された布巻軸と、本体の長さ方向の中間部に、軸線を中心にして回動可能に横架され、かつ筬を兼ねた断面略台形状のシャフトである１本の綜こうとを有したものである。綜こうには、長さ方向（本体の幅方向）に所定ピッチで多数本の縦糸ガイド溝が形成されている。使用時には、綜こうをその軸線を中心にして９０°回動してこれを倒すことで、縦糸を上下方向に開いてひ道を形成する。その後、ひ道にシャトルを走らせて横糸を通し、綜こうを手前に引いて横糸を打ち込んでからこれを元に戻すという、一連の裂き織り作業を繰り返す。
【産業上の利用可能性】
【００２５】
この発明は、絵柄付きの裂き織物を織り上げるための裂き織り技術として有用である。
【符号の説明】
【００２６】
１０  手織機、
１１  横糸、
１２  裂き布、
１３  筬、
１４  裂き織物、
１５  絵柄（目標絵柄）、
１５Ａ  元絵柄、
２０  縦糸。
【図１】
0005585963.tif 000002
【図２】
0005585963.tif 000003
【図３】
0005585963.tif 000004
【図４】
0005585963.tif 000005